【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
第１のインクと、該第１のインクとは異なる第２のインクと、のそれぞれに対して複数のノズルを配列したノズル列を２列ずつ備え、前記２列のノズル列それぞれによって記録可能な範囲の一部がオーバーラップするように、前記２列のノズル列を前記ノズルの配列方向にずらして配置した記録ヘッドを、記録媒体の単位領域に対して複数回走査させることにより画像を記録するインクジェット記録装置であって、
同じインクを吐出する２列のノズル列がオーバーラップする範囲に含まれるノズルの中から、各ノズル列それぞれの連続する複数のノズルを記録使用ノズルとして設定する設定手段と、
前記第１のインク及び前記第２のインクそれぞれに対応する２列のノズル列の、前記設定手段により設定された記録使用ノズルを用いて前記記録媒体に対してインクを吐出することにより画像を記録する記録手段と、
を備え、
前記設定手段は、前記第１のインクを吐出する２列のノズル列それぞれの前記記録使用ノズルをつなぐ前記配列方向のつなぎ位置と、前記第２のインクを吐出する２列のノズル列それぞれの前記記録使用ノズルをつなぐ前記配列方向のつなぎ位置とが異なり、且つ、前記記録ヘッドの所定の走査と他の走査とで前記第１のインクを吐出する２列のノズル列それぞれの前記記録使用ノズルをつなぐ前記配列方向のつなぎ位置と前記第２のインクを吐出する２列のノズル列それぞれの前記記録使用ノズルをつなぐ前記配列方向のつなぎ位置とがそれぞれ異なるように、前記記録使用ノズルを設定することを特徴とするインクジェット記録装置。
【請求項２】
前記設定手段は、前記走査の回数をカウントする手段を有し、該カウント手段によってカウントされた回数に応じて前記記録使用ノズルをそれぞれ設定することを特徴とする請求項１に記載のインクジェット記録装置。
【請求項３】
前記設定手段は、前記走査の度に前記記録使用ノズルを設定することを特徴とする請求項１または２に記載のインクジェット記録装置。
【請求項４】
前記記録ヘッドは、前記２列のノズル列を含む複数のノズル列が、前記ノズルの配列方向と交差する方向に交互にずれながら記録可能な範囲の一部が互いにオーバーラップするように、配置して構成され、
前記設定手段は、前記走査の度に、前記記録使用ノズルを前記複数のノズル列のそれぞれに対して設定することを特徴とする請求項１乃至３のいずれか１項に記載のインクジェット記録装置。
【請求項５】
第１のインクと、前記第１のインクとは異なる第２のインクと、のそれぞれに対して複数のノズルを配列し多ノズル列を２列ずつ備え、前記２列のノズル列それぞれによって記録可能な範囲の一部がオーバーラップするように、前記２列のノズル列を前記ノズルの配列方向にずらして配置した記録ヘッドを、記録媒体の単位領域に対して複数回走査させることにより画像を記録するインクジェット記録方法であって、
同じインクを吐出する２列のノズル列がオーバーラップする範囲に含まれるノズルの中から、各ノズル列それぞれの連続する複数のノズルを記録使用ノズルとして設定する設定工程と、
前記第１のインク及び前記第２のインクそれぞれに対応する２列のノズル列の、前記設定手段により設定された記録使用ノズルを用いて前記記録媒体に対してインクを吐出することにより画像を記録する記録工程と、
を有し、
前記設定工程において、前記第１のインクを吐出する２列のノズル列それぞれの前記記録使用ノズルをつなぐ前記配列方向のつなぎ位置と、前記第２のインクを吐出する２列のノズル列それぞれの前記記録使用ノズルをつなぐ前記配列方向のつなぎ位置とが異なり、且つ、前記記録ヘッドの所定の走査と他の走査とで前記第１のインクを吐出する２列のノズル列それぞれの前記記録使用ノズルをつなぐ前記配列方向のつなぎ位置と前記第２のインクを吐出する２列のノズル列それぞれの前記記録使用ノズルをつなぐ前記配列方向のつなぎ位置とがそれぞれ異なるように、前記記録使用ノズルを設定することを特徴とするインクジェット記録方法。
【手続補正２】
【補正対象書類名】明細書
【補正対象項目名】００１３
【補正方法】変更
【補正の内容】
【００１３】
そのために本発明においては、  第１のインクと、該第１のインクとは異なる第２のインクと、のそれぞれに対して複数のノズルを配列したノズル列を２列ずつ備え、前記２列のノズル列それぞれによって記録可能な範囲の一部がオーバーラップするように、前記２列のノズル列を前記ノズルの配列方向にずらして配置した記録ヘッドを、記録媒体の単位領域に対して複数回走査させることにより画像を記録するインクジェット記録装置であって、同じインクを吐出する２列のノズル列がオーバーラップする範囲に含まれるノズルの中から、各ノズル列それぞれの連続する複数のノズルを記録使用ノズルとして設定する設定手段と、前記第１のインク及び前記第２のインクそれぞれに対応する２列のノズル列の、前記設定手段により設定された記録使用ノズルを用いて前記記録媒体に対してインクを吐出することにより画像を記録する記録手段と、を備え、前記設定手段は、前記第１のインクを吐出する２列のノズル列それぞれの前記記録使用ノズルをつなぐ前記配列方向のつなぎ位置と、前記第２のインクを吐出する２列のノズル列それぞれの前記記録使用ノズルをつなぐ前記配列方向のつなぎ位置とが異なり、且つ、前記記録ヘッドの所定の走査と他の走査とで前記第１のインクを吐出する２列のノズル列それぞれの前記記録使用ノズルをつなぐ前記配列方向のつなぎ位置と前記第２のインクを吐出する２列のノズル列それぞれの前記記録使用ノズルをつなぐ前記配列方向のつなぎ位置とがそれぞれ異なるように、前記記録使用ノズルを設定することを特徴とする。
【手続補正３】
【補正対象書類名】明細書
【補正対象項目名】００１４
【補正方法】変更
【補正の内容】
【００１４】
また、第１のインクと、前記第１のインクとは異なる第２のインクと、のそれぞれに対して複数のノズルを配列し多ノズル列を２列ずつ備え、前記２列のノズル列それぞれによって記録可能な範囲の一部がオーバーラップするように、前記２列のノズル列を前記ノズルの配列方向にずらして配置した記録ヘッドを、記録媒体の単位領域に対して複数回走査させることにより画像を記録するインクジェット記録方法であって、同じインクを吐出する２列のノズル列がオーバーラップする範囲に含まれるノズルの中から、各ノズル列それぞれの連続する複数のノズルを記録使用ノズルとして設定する設定工程と、前記第１のインク及び前記第２のインクそれぞれに対応する２列のノズル列の、前記設定手段により設定された記録使用ノズルを用いて前記記録媒体に対してインクを吐出することにより画像を記録する記録工程と、を有し、前記設定工程において、前記第１のインクを吐出する２列のノズル列それぞれの前記記録使用ノズルをつなぐ前記配列方向のつなぎ位置と、前記第２のインクを吐出する２列のノズル列それぞれの前記記録使用ノズルをつなぐ前記配列方向のつなぎ位置とが異なり、且つ、前記記録ヘッドの所定の走査と他の走査とで前記第１のインクを吐出する２列のノズル列それぞれの前記記録使用ノズルをつなぐ前記配列方向のつなぎ位置と前記第２のインクを吐出する２列のノズル列それぞれの前記記録使用ノズルをつなぐ前記配列方向のつなぎ位置とがそれぞれ異なるように、前記記録使用ノズルを設定することを特徴とする。